(57)【要約】【課題】被処理物に混入している塵埃が石抜機１０４や粒選別機１０５の処理能力を低下させたり、製品中に塵埃が過度に混入してその品質を低下させるのを阻止する。【解決手段】石抜機１０４の上側に配設されていて、揺動選別装置又は異種選別機から取り出された脱ぷ状穀粒を被処理物として供給される風選装置であって、該装置の外周囲を包囲した風選装置外面ケーシング３７内で被処理物が落下される過程で該被処理物からこれに含まれる比較的小さくて軽い塵埃を風選により除去する機構を備えていることを特徴とする米麦調製出荷設備に使用される仕上風選装置。【選択図】図１５
2005118730.tif 000002
【特許請求の範囲】
【請求項１】
石抜機の上側に配設されていて、揺動選別装置又は異種選別機から取り出された脱ぷ状穀粒を被処理物として供給される風選装置であって、該装置の外周囲を包囲した風選装置外面ケーシング内で被処理物が落下される過程で該被処理物からこれに含まれる比較的小さくて軽い塵埃を風選により除去する機構を備えていることを特徴とする米麦調製出荷設備に使用される仕上風選装置。
【請求項２】
前記風選用の空気流を生成させるために前記風選装置外面ケーシングにこれの内方から外方へ空気を吸引排出するものとした空気吸引口を備えると共に、先端が前記石抜機の石取出空間の底部に開口される比較的小径の空気吸引管を前記空気吸引口から分岐させていることを特徴とする請求項１記載の米麦調製出荷設備に使用される仕上風選装置。
【請求項３】
前記風選用の空気流を生成させるために前記風選装置外面ケーシングにこれの内方から外方へ空気を吸引排出するものとした空気吸引口を備えると共に、前記風選装置外面ケーシングを前記石抜機用外面ケーシングの上面上に気密状に連続した状態に設け、前記空気吸引口からの空気吸引により、前記石抜機外面ケーシングの外方の空気が該石抜機外面ケーシングの内方を通じて前記風選装置外面ケーシング内に流入した後に前記空気吸引口から流出される構成となしたことを特徴とする請求項１又は２記載の米麦調製出荷設備に使用される仕上風選装置。
【発明の詳細な説明】
【技術分野】
【０００１】
本発明は、米麦共同乾燥調製施設などの米麦調製出荷設備に使用される仕上風選装置に関するものである。
【背景技術】
【０００２】
脱ぷ風選装置及び揺動選別装置を具備した脱ぷ揺動選別機、異種選別機、石抜機、粒選別機、色彩選別機、製品タンクのうち必要なものを選択して配列し、被処理物である米や麦を特定順に通過させるものとなされた米麦調製出荷設備は既に存在している。
上記米麦調製出荷設備の技術水準を示すものとして例えば特許文献１のようなものがある。
【０００３】
【特許文献１】実公平８−１０４０８号公報
【発明の開示】
【発明が解決しようとする課題】
【０００４】
上記した米麦調製出荷設備において、被処理物に混入している塵埃が上記石抜機や粒選別機の処理能力を低下させたり、製品中に塵埃が過度に混入してその品質を低下させることがある。
本発明は、これらの問題点を効果的に解消し得るものとした仕上風選装置を提供することを目的とする。
【課題を解決するための手段】
【０００５】
上記目的を達成するための本発明に係る仕上風選装置は、請求項１に記載したように、石抜機の上側に配設されると共に揺動選別装置又は異種選別機から取り出された脱ぷ状穀粒を被処理物として供給される風選装置であって、外面ケーシング内で被処理物が落下される過程で被処理物からこれに含まれる比較的小さくて軽い塵埃を風選により除去する機構を備えた構成となされたものである。このようにすれば、前記石抜機より後工程へ糠などの塵埃が進入し難くなる。
【０００６】
上記発明は次のように具体化される。
即ち、請求項２に記載したように、前記風選用の空気流を生成させるために前記風選装置外面ケーシングにこれの内方から外方へ空気を吸引排出するものとした空気吸引口を備えると共に、先端が前記石抜機の石取出空間の底部に開口される比較的小径の空気吸引管を前記空気吸引口から分岐させている構成となす。
このようにすると、前記空気吸引管は前記石取出空間の底部に存在する比較的小さくて軽い塵埃を前記風選装置外面ケーシングの内方を通過することなく外方へ流出させるものとなる。
【０００７】
また請求項３に記載したように、前記風選用の空気流を生成させるために前記風選装置外面ケーシングにこれの内方から外方へ空気を吸引排出するものとした空気吸引口を備えると共に、前記風選装置外面ケーシングを前記石抜機用外面ケーシングの上面上に気密状に連続した状態に設け、前記空気吸引口からの空気吸引により、前記石抜機外面ケーシングの外方の空気が該石抜機外面ケーシングの内方を通じて前記風選装置外面ケーシング内に流入した後に前記空気吸引口から流出される構成となす。
このようにすると、前記石抜機用外面ケーシングの内方の塵埃が格別な塵埃除去通路手段を設けることなく前記風選装置の空気吸引口から排出されるようになる。
【発明の効果】
【０００８】
本発明によれば、以下に示すような効果が得られる。
即ち、請求項１に記載したものによれば、前記揺動選別装置又は前記異種選別機を経た後の被処理物である脱ぷ状穀粒群がこれに含まれる比較的小さな塵埃を風選により除去された後に、前記石抜機や前記粒選別機のほか必要に応じて設けられる前記色彩選別機に供給されるようになるため、これら石抜処理及び粒選処理及び色彩選別処理を効率的に行わせることができるのであり、また前記製品タンク内に収集された最終の被処理物である脱ぷ状穀粒（製品）群に糠などの小埃が混入するのを抑制して製品の品質を向上させることができる。
【０００９】
請求項２に記載したものによれば、石抜機で取り出される石などに糠などの塵埃が混入するのを風選装置の空気吸引作用を利用して簡易に阻止することができる。
【００１０】
請求項３に記載したものによれば、前記石抜機外面ケーシングの内方の塵埃を格別な塵埃除去通路手段を設けることなく前記風選装置の空気吸引口から排出させることができるのであり、また風選装置の空気吸引作用により前記石抜機外面ケーシングの内方を格別な空気吸引路を形成することなく負圧状態となすことができて、塵埃が前記風選装置外面ケーシングや前記石抜機外面ケーシングの隙間から外方へ流出するのを阻止することができる。
【発明を実施するための最良の形態】
【００１１】
次に、本発明の実施の形態を添付の図面を用いて説明する。
図１は本発明に係る仕上風選装置を具備した米麦共同乾燥調製施設（ライスセンタやカントリエレベータなど）のフローシート、図２は前記米麦調製出荷設備の左前面を見た図、図３は前記米麦調製出荷設備の右前面を見た図、図４は前記米麦調製出荷設備の左後面を見た図、図５は前記米麦調製出荷設備の右後面を見た図、図６は前記米麦調製出荷設備の正面図、図７は前記米麦調製出荷設備の左側面図、図８は前記米麦調製出荷設備の右側面図、図９は前記米麦調製出荷設備の平面図、図１０は前記米麦調製出荷設備の脱ぷ揺動選別機などを斜め前方から見た図、図１１は図１０に示す揺動選別装置の前面側のカバー部を開放した状態を示す図、図１２は前記米麦調製出荷設備の脱ぷ揺動選別機の正面視断面図、図１３は前記米麦調製出荷設備の揺動選別装置の正面視説明図、図１４は前記揺動選別装置の側面視説明図、図１５は前記米麦調製出荷設備の仕上風選装置及び石抜機の側面視断面図、図１６は前記脱ぷ揺動選別機の一部を示す斜視図、図１７は前記米麦調製出荷設備の出荷部を示す側面図、図１８は前記米麦調製出荷設備の第１変形例を示す平面図、図１９は前記麦調製出荷設備の第２変形例を示す平面図、図２０は前記米麦調製出荷設備のマグネット装着構造に係りＡは被処理物供給用のシュータに装着した状態を示す側面図そしてＢは被処理物供給用の樋に装着した状態を示す側面図、図２１は前記米麦調製出荷設備の網体装着構造を示す図である。
【００１２】
図１に示すように、本発明に係る米麦調製出荷設備は原料昇降機１００、脱ぷ風選装置１０１Ａ及び揺動選別装置１０１Ｂからなる脱ぷ揺動選別機１０１、粒選別機投入昇降機１０２、仕上風選装置１０３、石抜機１０４、粒選別機１０５、色彩選別機投入昇降機１０６、色彩選別機１０７、製品昇降機１０８、製品タンク１０９、出荷計量機１１０を備えている。
【００１３】
先ず前記脱ぷ揺動選別機１０１について説明する（図３、図１０、図１２、図１６参照）。
図２及び図３などに示すように、全体は脱ぷ風選装置１０１Ａを揺動選別装置１０１Ｂ上に載設したものとなされ、揺動選別装置１０１Ｂ上部の外周囲に作業フロア１が横外方への張出し状に設けられると共に、揺動選別装置１０１Ｂの下端部ａ１と作業フロア１との間に昇降移動用の階段２が設けられたものとなされている。
【００１４】
前記脱ぷ風選装置１０１Ａの詳細は次のとおりである。
即ち、図１０に示すように、作業フロア１よりも上側で作業フロア１上に立った状態の作業者の手の届く範囲内に左右一対の脱ぷロール３、３が設けてあり、この脱ぷロール３、３の前面及び上面を覆うものとした側面視Ｌ形のロールカバー体４が上端縁個所４ａの左右向き軸を介して、全体の外面を覆った外面ケーシング５の一部として装着され、図１６中に符号ａ２で示すように上方側へ及び、作業フロアー１から離れる側へ向けての揺動開放可能となされている。
【００１５】
外面ケーシング５の上側には原料タンク６が設けられており、該原料タンク６から非脱ぷ状態の穀粒（籾など）が、図１２に示す被処理物通路７を通じて、一対の脱ぷロール３、３上に落下され、脱ぷロール３、３はこのように落下した穀粒を挟み付けて摩擦することにより脱ぷ処理し、脱ぷ処理された後の被処理物が案内板８ａ、８ｂに案内されて落下口９から落下されるようになされている。この一方では揺動選別装置１０１Ｂの外面ケーシング１０内の空気が、この外面ケーシング１０内に設けられた動力ファン１１の吸引力により当該装置１０１Ａの外面ケーシング５の下面に形成された空気入口１２ａ、１２ｂ、１２ｃから吸引されて矢印方向ｆ１へ流動し、次に案内板８ｂとこれの下側の案内板１３とで囲まれた選別風路１４内を矢印ｆ２で示す右斜め上方へ流動し、この空気流動による風選作用により脱ぷ状穀粒（玄米など）は１番物取出樋１５からオーガ１５ａの搬送作用で取り出され、２番物は２番物取出樋１６からオーガ１６ａの搬送作用で外方へ取り出されるようになされている。
【００１６】
選別風路１４の右下側には案内板１７ａ、１７ｂで囲まれた塵埃分離室１８が形成されており、この塵埃分離室１８の底部には繰出しロータ１９ａを内包したエアロックバルブ１９を介装された外殻排出路２０が形成されると共に、塵埃分離室１８の左上部には空気吸引孔２１が形成され、この空気吸引孔２１から、案内板２２ａ、２２ｂで囲まれた空気吸引路２３が下方へ向けて延出されている。
【００１７】
選別風路１４内を矢印方向ｆ２へ流動する空気は落下口９から落下した被処理物からその外殻を分離させると共にこの外殻と一緒に塵埃分離室１８内に流入して流速を低下されるようになされており、ここで外殻が重力分離されて空気のみが空気吸引路２３を通じて下方へ流動され、一方、外殻は塵埃分離室１８の底部に降下した後、エアロックバルブ１９で空気の流通を遮断された状態の下で外殻排出路２０を通じて空気吸引路２３の内方へ排出されるようになされている。２４ａ及び２４ｂは２番物取出樋１６内からオーガ１６ａで取り出された２番物が落下する２番物落下路２５を形成する案内板であり、この２番物落下路２５は図１０などに示す揺動選別装置１０１Ｂの外面ケーシング１０から突出された図３に示す２番物取出口２６に連通されている。
【００１８】
そして、前記揺動選別装置１０１Ｂの詳細は次のとおりである（図１、図３、図１０、図１１、図１２、図１３、図１４、図１６参照）。
即ち、図１０に示すように、外面ケーシング１０の頂面部１０ａの上側に混合物タンク２７が設けてあり、この混合物タンク２７には脱ぷ風選装置１０１Ａの一番物取出樋１５から取り出された被処理物が図３に示す選別機投入昇降機２８を介して搬送された後に投入されるようになされている。図１１、図１２、図１３及び図１４に示すように、外面ケーシング１０により略密閉状に囲まれた空間内には前後方向と左右方向の双方に傾斜された選別要部２９が設けてあり、この選別要部２９は上面に凹凸の形成された平板状の揺動選別板２９ａを複数段に積み重ねて左右方向ｆ３に揺動運動させるようになされ、この揺動選別板２９ａの前後傾斜上位側（奥側）に固定された供給タンク２９ｂ内に混合物タンク２７の被処理物が供給され、前後傾斜下位側（前面側）に固定された被処理物排出樋２９ｃから揺動選別板２９ａで選別処理された後の被処理物が取り出されるようになされている。
【００１９】
外面ケーシング１０の内方には揺動選別装置１０１Ｂ全体を支持した図示しない本体基礎台と同体状に支持された固定枠板９０に可動枠体９１が左右向き支点軸９２を介して結合され且つ前後傾斜角調節モータ９３の駆動による左右向き支点軸９２回りの揺動変位可能に装着されており、また可動枠体９１上には左右の前後向き支持軸９４、９５を介して左右一対のリンクアーム体９６、９７が左右揺動可能に装着されると共に、それぞれのリンクアーム体９６、９７の上側前後個所が選別要部２９の対応個所に軸着されて、可動枠体９１、選別要部２９及び左右のリンクアーム体９６、９７を要素とした四節平行リンク機構が形成されている。
【００２０】
左側のリンクアーム体９６の下側には他所から回転を入力される回転駆動軸９８が配置されていて、可動枠体９１に設けられた前後向き支点軸９９回りの揺動変更可能に装着された上向きアーム体１２０に支持され、回転駆動軸９８の長さ途中個所に形成されたクランクピン部と左側のリンクアーム体９６の長さ途中個所とがクランクロッド１２１で結合されている。この際、回転駆動軸９８にはこれの回転を円滑となすためのバランスウエイト９８ａが設けられている。そして上向きアーム体１２０の長さ途中個所は揺動角調節モータ１２２の出力軸ｄ１にネジ送り機構１２３を介して連動連結されていて、出力軸ｄ１の回転により回転駆動軸９８の位置が前後向き支点軸９９回りへ変更されて右側のリンクアーム体９６の前後向き支持軸９４回りの揺動範囲位置が変更されるようになされている。
【００２１】
一方、右側の前後向き支持軸９５はこれの左側に位置され可動枠体９１に装着された前後向き支点軸１２４回りの揺動自在となされた左右向きアーム体１２５の右端部に支持されており、この左右向きアーム体１２５の左端部と同体状個所から下向きアーム部材１２６が延出させてあり、この下向きアーム部材１２６と、可動枠体９１に装着された左右傾斜角調節モータ１２７の出力軸ｄ２とがネジ送り機構１２８を介して連動連結されていて、出力軸ｄ２の正逆回転により前後向き支持軸９５の高さ位置が前後向き支点軸１２４回りへ変更されるようになされている。
【００２２】
したがって、回転駆動軸９８が回転駆動されることにより左右のリンクアーム体９６、９７が左右の前後向き支持軸９４、９５回りへ繰り返し揺動されて選別要部２９が左右方向ｆ３へ揺動され、また前後傾斜角調節モータ９３が回転作動されることにより選別要部２９の前後傾斜角度が変更され、また揺動位置調節モータ１２２が回転作動されることにより選別要部２９の左右揺動範囲の角度位置が変更され、また左右傾斜角調節モータ１２７が回転作動されることにより選別要部２９の左右傾斜角が変更される。
【００２３】
外面ケーシング１０の前面部１０ｂの大部分個所は図１１に示すように後述の第２の扉体Ｔ２から離れる側である左側縁に設けられた縦支軸１２９を介して支持され且つこの軸１２９回りの開放変位可能となされた第１の扉体Ｔ１となされており、この扉体Ｔ１の内面側にはこれが閉鎖状態にあるときに選別要部２９の前後傾斜下位側の被処理物排出樋２９ｃから送り出されて落下する被処理物を受け入れて特定個所へ重力作用により送り出すものとした被処理物自重落下案内路手段をなす配送シュート３０が支持片を介して固定されている。この配送シュート３０は、３つの独立した案内路３０ａ、３０ｂ、３０ｃを具備していて、各案内路３０ａ、３０ｂ、３０ｃの受入部はホッパ状となされており、左端の案内路３０ａは選別要部２９から受け入れた脱ぷ状穀粒を前記粒選別機投入昇降機１０２の被処理物供給個所ａ３（図１参照）で外面ケーシング１０の左側面内方に設けられたシュート１３０の内方に落下させ、中間位置の案内路３０ｂは脱ぷ状穀粒（玄米など）及び非脱ぷ状穀粒（籾など）の混合物を前記選別機投入昇降機２８の被処理物供給個所ａ４（図１参照）の内方に移送するために選別要部２９下側に前後向きに配設された振動コンベア３１の搬送始端に落下させ、右端の案内路３０ｃは非脱ぷ状穀粒を原料昇降機１００の被処理物供給個所ａ５の内方に移送するに選別要部２９下側に前後向きに配設された振動コンベア３２の搬送始端に落下させるようになされている。
【００２４】
図１４に示す第１の扉体Ｔ１の上部で配送シュート３０よりも上側となる大部分個所には図１３に示す四角状の透孔ｅ１が形成されており、この透孔ｅ１個所にはこれを開放可能に閉鎖するための蓋体ｅ２が設けられている。この蓋体ｅ２は第１の扉体Ｔ１の外面に位置され大部分を透視材で形成され且つ透孔ｅ１を略気密状に閉鎖するものとなされていてこれの上辺部回りの外方且つ上方への揺動開放可能となされるほか、閉鎖姿勢から上辺部回りの外方且つ上方へ凡そ１１０度程度回動させた位置に位置保持させ得るものとなされている。
【００２５】
図１３に示す外面ケーシング１０の内方であって、選別要部２９の前部、脱ぷ状穀粒用のシュート１３０、配送シュート３０、及び、第１振動コンベア３１や第２振動コンベア３２の前部などの周辺における清掃、点検又は修理などの作業を行うときは、第１の扉体Ｔ１が縦支軸１２９に支持されつつこの軸１２９回りへ揺動されて開放される。第１の扉体Ｔ１が開放されたとき、配送シュート３０が選別要部２９と、シュート１３０及び第１振動コンベア３１及び第２振動コンベア３２との間から抜け出て広い作業空間が形成される。また選別要部２９の前部や配送シュート３０の上部の状態を確認したいときなどには蓋体ｅ２が開放される。
【００２６】
図１２に示すように、外面ケーシング１０の内方右部には前記動力ファン１１が固設してあり、この動力ファン１１の空気吸引口には脱ぷ風選装置１０１Ａの空気吸引路２３と外殻排出路２０の出口とが外面ケーシング１０内の風路筒３３を介して連通状に結合されると共に、動力ファン１１の空気吐出口からは図１６に示す排塵筒３４が外面ケーシング１０の外方へ向けて延出されている。外面ケーシング１０の下端縁ａ６は揺動選別機１０１Ｂの設置された床面ａ７から凡そ５ｍｍ程度離間されており、また外面ケーシング１０の前後左右の側面個所の特定個所（塵埃の堆積し易い個所）にはネズミが出入りできない程度の幅（例えば凡そ５ｍｍ程度）のスリット３５が多数設けられており、全てのスリット３５による開口面積は動力ファン１１の吸引能力に関連した特定大きさとなされている。そして、動力ファン１１が作動しているときは動力ファン１１の空気吸引作用により外面ケーシング１０内の空気が脱ぷ風選装置１０１Ａの空気入口１２ａ、１２ｂ、１２ｃ及び空気吸引路２３及び風路筒３３を通じて吸引された後に排塵筒３４を通じて外側ケーシング１０の外方へ排出される。この際、床面ａ７と外面ケーシング１０との間の隙間や、スリット３５を通じて外面ケーシング１０の外側の空気がこれの内方へ吸引され、この吸引された空気により外面ケーシング１０内に空気流が生成され、この空気流が外面ケーシング１０内の塵埃の堆積し易い個所の塵埃を空気入口１２ａ、１２ｂ、１２ｃ内に流入させる。
【００２７】
そして図１０に示すように外面ケーシング１０の前面部の右部で扉体Ｔ１の右側となる個所には、右側へ向かうに伴って前方へ張り出す態様の傾斜状となされた前面部３６ａを有し前後幅が左右長さに較べて比較的小さくなされ平面視略三角形状となされた略密閉状の制御盤３６が形成されている。この際、前面部３６ａの大部分が第２の扉体Ｔ２となされ、この扉体Ｔ２は第１の扉体Ｔ１から離れる側である右側縁に設けられた縦支軸１３１を介して支持され且つこの軸１３１回りの開放変位可能となされており、第２の扉体Ｔ２の外面には各種スイッチを具備した操作部ａ８や液晶板からなるタッチパネルなどの作動状態表示部ａ９が装設されている。なお、制御盤３６の内方には調整出荷設備の各部を制御するための制御用電気部品が密集されている。
【００２８】
次に前記仕上風選装置１０３の詳細について説明する。
図１５に示すように、全体の外周囲が風選装置外面ケーシング３７で略密閉状に包囲されており、この際、風選装置外面ケーシング３７は後述の石抜機外面ケーシング５３の上面に気密状に連続して形成されている。風選装置外面ケーシング３７の頂面部３７ａには前記粒選別機投入昇降機１０２で移送された被処理物を風選装置外面ケーシング３７の内方へ投入するための投入口３８が形成されると共に、風選装置外面ケーシング３７の側面には風選装置外面ケーシング３７の内方の空気を吸引排出するための空気吸引口３９が形成され、この空気吸引口３９から風路管４０が延出されている。この風路管４０は図１２に示すように揺動選別装置１０１Ｂの外面ケーシング１０の内方に導かれ前記風路筒３３の途中個所ａ１０に連通状に結合されている。
【００２９】
風選装置外面ケーシング３７の内方には案内板４１を介して、被処理物の貯溜室４２及びこれの底部に位置された被処理物の落下口４２ａが形成され、貯溜室４２には投入口３８から被処理物を投入され、また落下口４２ａにはこれの幅方向の被処理物の落下量を均分化するための分銅式均分弁４３が設けられている。この際、分銅式均分弁４３は横軸４４回りの開閉変位自在となされた均分弁４５と、この均分弁４５に関連して装着された分銅４６とを備え、均分弁４５の閉鎖側への付勢力が分銅４６の重量に対応した大きさになると共に、該付勢力の大きさが分銅４６の位置調整により大小に変更されるものとなされている。
【００３０】
また貯溜室４２の下側には案内板４１とこれの下側に固定された案内板４７とで囲まれた傾斜状の選別風路４８が形成され、この選別風路４８の上端が上下向きの仕切板４９で囲まれた吸引室５０に連通され、一方では風選装置外面ケーシング３７の下面側の空気入口５１から吸引した空気が仕切板４９で矢印方向ｆ４へ案内されて流入し、続いて選別風路４８の下端から矢印方向ｆ５へ流動し、この空気流動により落下口４２ａから落下している被処理物に混入している比較的小さい塵埃を選別風路４８個所で分離させ、これら塵埃を吸引室５０、空気吸引口３９及び風路管４０を経て風路筒３３内に前記動力ファン１１の吸引力で吸引させるようになされており、こうして風路筒３３内に吸引された塵埃は動力ファン１１に吸引され、被処理物の外殻などと一緒に排塵筒３４を通じて外方へ排出される。
【００３１】
空気吸引口３９内には開度を任意に調整できるようになされた回動式吸気調節弁５２が設けられており、この回動式吸気調節弁５２の開度と分銅４６の位置とを適当に調整することにより、任意な選別処理能力による安定した風選作用が得られるようになる。また空気吸引口３９からは比較的小径の空気吸引管６３が分岐されて下方へ延出されている。
【００３２】
次に前記石抜機１０４について説明する。
図１５に示すように、仕上風選装置１０３を上側に配設されており、仕上風選装置１０３の風選装置外面ケーシング３７と気密状に結合された石抜機外面ケーシング５３を備えている。この石抜機外面ケーシング５３で略密閉状に囲まれた空間内には、多数の噴風口及び凹凸の形成された多孔選別板５４が傾斜状に配置されると共に揺動駆動機構５５を介して図１５中で上下左右方向へ向かう特定軌跡上を繰り返し揺動されるように支持されており、多孔選別板５４の下面側には送風ファン５６を内蔵したファンケース５７が多孔選別板５４と同体状に固定されている。
【００３３】
多孔選別板５４が揺動作動されて、送風ファン５６により石抜機外面ケーシング５３の側面個所に形成された図示しない空気入口を通じて外気が吸引され、この吸引された外気によりファンケース５７内に生成された風が多数の前記噴風口から上方へ向け吹き抜けている状態の下で、仕上風選装置１０３から落下した被処理物が案内板５８ａ、５８ｂに案内されて多孔選別板５４上に供給されると、滑落し易い脱ぷ状穀粒は下位側へ流動して案内板５９で囲まれた穀粒落下路６０を通じて下方へ落下され、一方、滑落し難い石などの異物は上位側へ送り移動されて多孔選別板５４の上端から石取出し空間１３２内に落下され、続いてファンケース５７の下側で石抜機外面ケーシング５３の内方を密閉状に横断するように配設され石取出空間１３２の下面をなしている収集樋状部６１の底部に収集され、この収集された異物は収集樋状部６１の底部に設けられたオーガ６２により石抜機外面ケーシング５３の外方へ排出されるようになされている。
【００３４】
収集樋状部６１の底部上面近傍個所には前記仕上風選装置１０３の空気吸引口３９から分岐されて延出された比較的小径の空気吸引管６３の先端が開口されていて、前記動力ファン１１の空気吸引力によりこの空気吸引管６３を通じて収集樋状部６１の底部上面近傍の塵埃が空気と一緒に吸引されるようになされており、この吸引された塵埃は前記仕上風選装置１０３内の小埃と一緒など一緒に排塵筒３４を通じて外方へ運び出される。
【００３５】
次に前記粒選別機１０５について説明すると、図５に示すように６本の回転選別胴６４を縦２列で三段階に配列したものとなされ、各回転選別胴６４については周面に無数の選別孔を形成して排出側を供給側よりも少し低くした略水平姿勢となされ且つ回動可能に架設され、各回転選別胴６４の供給側の内方に前記穀粒落下路６０から落下した穀粒を前記選別孔の大きさに関連した大小に選別し、大きい粒形の穀粒が前記色彩選別機投入昇降機１０６の被処理物供給個所ａ１１へ向けて流出され、小さい粒形の未熟粒などが未熟粒通路６５を経て図９に示す特定個所ｐ０１へ流出されるようになされている。
【００３６】
次に前記色彩選別機１０７について説明する（図２、図３、図９参照）。
サービスタンク６６と色彩選別処理部６７を備えており、前記色彩選別機投入昇降機１０６からサービスタンク６６の図９に示す第１区画個所ｂ１に被処理物を投入され、この第１区画個所ｂ１から色彩選別処理部６７の一次処理部に連続的に被処理物が供給され、この一次処理部にて先ず一次選別処理されて、良品のみの一群と、良品及び着色粒の混合品群とに選別され、混合品群が一次不良品昇降機６８で揚上搬送されてサービスタンク６６の図９に示す第２区画個所ｂ２に投入され、この第２区画個所ｂ２から色彩選別処理部６７の二次処理部に連続的に供給されて二次選別処理され、この二次処理で着色粒と良品粒とに厳密に選別し、着色粒は外方の特定個所に向け流出され、良品粒が二次良品昇降機６９で揚上搬送されてサービスタンク６６の第１区画個所ｂ１に戻され、この後、第１区画個所ｂ１内の他の被処理物と一緒に一次選別処理の対象となり、一方、一次選別処理で選別された良品の脱ぷ状穀粒（製品）は前記製品昇降機１０８の被処理物供給個所ａ１２（図１参照）に向け流出されるようになされている。
【００３７】
また前記製品タンク１０９は図１７に示すように、製品昇降機１０８から製品を投入されて貯溜し、この貯溜した製品が重力作用により被処理物出口個所７０から前記出荷計量機１１０へ向けて流出し得るようになされている。
さらに前記出荷計量機１１０は製品タンク１０９内の製品を計量して任意な特定重量だけ取り出すことができるようになされている。
【００３８】
次に上記した米麦調製出荷設備の変形態様について説明する。
第１の変形態様は、図１８に示すように、前記色彩選別機投入昇降機１０６及び前記色彩選別機１０７を省略して、粒選別機１０５と製品昇降機１０８とを連続させ、また揺動選別装置１０１Ｂと粒選別機投入昇降機１０２との間に予め設計され適合性を確保されている異種選別機投入昇降機１１１及び異種選別機１１２を設けたものとなされる。
この際、異種選別機１１２は揺動選別装置１０１Ｂで選別しきれなかった脱ぷ状穀粒中の異物（例えば非脱ぷ状穀粒、米処理中の麦、草の種など）を選別するもので、揺動選別装置１０１Ｂと同様な機構により揺動選別するものとなされる。
【００３９】
第２の変形態様は、図１９に示すように、前記色彩選別機投入昇降機１０６、前記色彩選別機１０７、前記異種選別機投入昇降機１１１及び前記異種選別機１１２を省略して、揺動選別装置１０１Ｂと粒選別機投入昇降機１０２とを連続させると共に、粒選別機１０５と製品昇降機１０８とを連続させたものとなされる。
【００４０】
次に上記した米麦調製出荷設備の被処理物移動経路の特定個所に設けられるマグネット７１及び網体７２について説明する。ここに、マグネット７１は被処理物中から磁力で吸着され得る金属片などの異物を除去するためのものであり、また網体７２は被処理物中から網目よりも大きな異物を濾し取るためのものである。
図１に示すように、前記マグネット７１は、前記揺動選別装置１０１Ｂにおける被処理物固定案内路と、前記異種選別機１１２における被処理物固定案内路、前記色彩選別機投入昇降機１０６における被処理物固定案内路と、前記製品タンク１０９における被処理物固定案内路とに装設されている。
【００４１】
さらに具体的に説明すると、前記揺動選別装置１０１Ｂ及び前記異種選別機１１２のマグネット７１は例えば図１１に示すように右端の被処理物案内路（非脱ぷ状穀粒を案内するもの）３０ｃのホッパ状個所の傾斜案内面ａ１３の下面に固着される。前記ホッパ状個所の傾斜案内面が帯磁個所となっていて、この帯磁個所がホッパ状個所の傾斜案内面に案内されて流下する非脱ぷ状穀粒の中からこれに混入した金属片などの磁力吸着可能な異物を吸着するのであり、吸着された異物は扉体１０ｂを開放することにより容易に除去される。
【００４２】
また前記色彩選別機投入昇降機１０６のマグネット７１は被処理物供給個所ａ１１に装着されている。この被処理物供給個所ａ１１は図２０Ａに示すような傾斜状の樋となされており、このマグネット７１の装着構造は、樋ａ１１の傾斜状底面にマグネット７１を固定すると共に、樋ａ１１上面の開口を開放可能に閉鎖する蓋体７３を設けたものとなされている。７４は樋ａ１１の側面に形成された透視窓である。この際、マグネット７１の真上となる傾斜状底面部分が帯磁個所となっていて、該傾斜状底面に案内されつつ重力作用により滑落する被処理物の中からこれに混入した先と同様な異物を吸着するのであり、吸着された異物は固定ネジ７５を弛緩操作して蓋体７３を開放することにより容易に除去される。
【００４３】
また前記製品昇降機１０８のマグネット７１は被処理物供給個所ａ１２に装着されている。この被処理物供給個所ａ１２は図２０Ｂに示すようなシュートとなされており、このマグネット７１の装着構造は、シュートａ１２の傾斜状底面に開口を設けると共に、この開口を閉鎖するための蓋体７６を特定支点軸７７回りの揺動開閉可能に装着し、この蓋体７６の外面にマグネット７１を固定したものとなされている。７８はシュートａ１２の側面に形成された透視窓である。この際、傾斜状底面７３ａの一部を形成する蓋体７６の内面個所が帯磁個所となっていて、該内面個所に案内されつつ重力作用により滑落する被処理物の中からこれに混入した先と同様な異物を吸着するのであり、吸着された異物は固定ネジ７６ａを弛緩操作して蓋体７６を開放することにより容易に除去される。
【００４４】
また製品タンク１０９のマグネットは図１７に示すように被処理物出口個所７０に装着されている。この被処理物出口個所７０は断面四角状の縦向き通路となされており、このマグネット７１の装着構造は、引き出し可能な枠体７９を形成し、この枠体７９の内方に棒状のマグネット７１を複数並設したものとなされている。この際、マグネット７１は縦向き通路内を重力作用により落下する被処理物の中からこれに混入した先と同様な異物を吸着するのであり、吸着された異物は枠体を引き出すことにより容易に除去される。
【００４５】
前記網体７２は、図１に示すように、選別機投入昇降機２８で送られた被処理物を貯溜し前記揺動選別装置１０１Ｂの選別要部２９に供給する混合物タンク７２の被処理物通過個所と、前記製品タンク１０９の被処理物出口個所７０とに設けられている。
【００４６】
そして、それぞれの網体７２の装着構造は、図２１に示すように、それぞれの被処理物通過個所ａ１４に、上面開放形となされ把手部８０ａの設けられた箱体８０を外方への引き出し可能に装着し、この箱体８０の底面に特定大きさの網目を有する網体７２を固定したものとなされている。網体７２上に濾し取られた異物は箱体８０を引き出すことにより容易に除去される。
【００４７】
次に上記実施形態における特徴的構成とその作用について補足的に説明する。
（１）粒選別機１０５の上側に配設された状態の石抜機１０４の上側に、仕上風選装置１０３が配設してある。これによれば、仕上風選装置１０３の効用が得られる上に次のような利益が得られるのであって、即ち、仕上風選装置１０３、石抜機１０４及び粒選別機１０５が比較的狭い床面ａ７上に設置されると共に、被処理物が重量作用で仕上風選装置１０３から石抜機１０４へ、そして石抜機１０４から粒選別機１０５へ移動されるものとなって、動力で駆動される格別な被処理物移送手段を設ける必要のないものとなる。
【００４８】
（２）揺動選別装置１０１Ｂの選別要部２９を略密閉状に覆った外面ケーシング１０の内方に動力ファン１１を設け、また脱ぷ風選装置１０１Ａにおける風選及び外殻移送用の空気流を生成させるための脱ぷ関係空気入口１２ａ、１２ｂ、１２ｃ及び脱ぷ関係空気吸引路２３の空気吸引端開口である脱ぷ関係空気出口を設け、この空気出口を動力ファン１１の空気吸引口に連通させると共に、脱ぷ関係空気入口１２ａ、１２ｂ、１２ｃを外面ケーシング１０の内方に開口させている。このようにすれば、外面ケーシング１０内の空気が脱ぷ風選装置１０１Ａの脱ぷ関係空気入口１２ａ、１２ｂ、１２ｃを通じて吸引されるようになり、外面ケーシング１０内の空気を動力ファン１１に吸引させるための通風路手段を形成する手間が軽減され、通風関係設備がコンパクト化される。
【００４９】
（３）揺動選別装置１０１Ｂの被処理物出口個所、異種選別機１１２の被処理物出口個所、色彩選別機投入昇降機１０６の被処理物供給個所、及び、製品昇降機１０８の被処理物供給個所のそれぞれのマグネット７１が、床面ａ７上の作業者の手の届く範囲内に設けられた構成となされている。これによれば、マグネット７１に吸着された金属片などが便利に取り出されるものとなる。
【００５０】
（４）色彩選別機投入昇降機１０６の被処理物供給個所、及び、製品昇降機１０８の被処理物供給個所のそれぞれが被処理物を自重滑落させる傾斜状の固定案内路となされており、該傾斜状の固定案内路の底面がマグネット７１による帯磁個所となされている。これによれば、帯磁個所の被処理物の流速が比較的小さくなるため、被処理物に混入した金属片などは的確に帯磁個所に吸着されるものとなる。
【００５１】
（５）異種選別機１１２のマグネット７１は、揺動選別装置１０１Ｂの場合と同様に、非脱ぷ状態の被処理物が重力作用で落下する個所に設けられる。これによれば、金属片などは一般に形状が脱ぷ状穀粒に較べて大きいために、揺動選別作用により非脱ぷ穀粒の落下する案内路個所に落下し易いのであり、したがって金属片などは非脱ぷ状態の被処理物の落下する個所に位置されたマグネット７１により効果的に除去されるようになる。
【００５２】
（６）色彩選別機１０７を実際に組み込むと否とに拘わらず、予め設計された特定仕様の色彩選別機１０７を脱ぷ揺動選別機１０１の横側に隣接させて組み込める構造となすほか、色彩選別機１０７に代えて予め設計された特定仕様の異種選別機１１２を予定されたとおりに組み込める構造となしてある。これによれば、色彩選別機１０７や異種選別機１１２を組み込む場合とそうでない場合の何れの要望にも簡易迅速に対応できるようになる。
【００５３】
（７）第２の扉体Ｔ２の前面を第１の扉体Ｔ１から左右方向ｆ３へ離れるに伴って前側へ位置させるように平面視傾斜した状態となして、第２の扉体Ｔ２の前面に操作部ａ８や作動状態表示部ａ９を設けてある。このようにすれば、作業者が特に頻繁に監視する必要のある揺動選別装置１０１Ｂの前面個所にいる状態の下で、作業者は操作部ａ８を操作したり、作動状態表示部ａ９を監視することが容易となり、設備全体の監視を便利に行えるのである。
【００５４】
（８）第１の扉体Ｔ１の開放を可能となすために被処理物排出樋２９ｃと配送シュート３０とを上下方向へ相対変位させるための動力変位手段をなす機構１２５、１２６、１２７、１２８が設けてある。これにより作業者は労力少なく迅速に第１の扉体Ｔ１を開放できるようになる。
【００５５】
（９）動力変位手段をなす機構１２５、１２６、１２７、１２８が選別要部２９の左右傾斜角を変更させるための手段と兼用させている。これにより構造の簡易化とコンパクト化が図られる。
【００５６】
（１０）配送シュート３０に固定されるマグネットは非脱ぷ状穀粒の案内路３０ｃのほかに、他の案内路個所３０ａ、３０ｂに設けて差し支えないものである。このようにすれば、一層確実に金属片などの異物を除去することができる。
【００５７】
（１１）配送シュート３０に固定されるマグネットは非脱ぷ状穀粒の案内路３０ｃのほかに、他の案内路個所３０ａ、３０ｂに設けて差し支えないものである。このようにすれば、一層確実に金属片などの異物を除去することができる。
【００５８】
上記した米麦調製出荷設備は例えばライスセンタやカントリーエレベータの一部として使用される。
即ち、図１に示すように、ライスセンターの一部として使用するときは、コンバインなどで収穫された米麦などの穀粒である被処理物は、荷受個所１１３で荷受処理され、粗選機・再脱穀機１１４により処理され、荷受計量機１１５により計量され、乾燥機１１６により乾燥処理され、放冷タンク１１７で放冷処理された後に、原料昇降機１００の被処理物供給個所ａ５のシュータ内に供給されるのである。
【００５９】
またカントリーエレベータの一部として使用するときは、コンバインなどで収穫された米麦などの穀粒である被処理物は、荷受個所１１３で荷受処理され、粗選機・再脱穀機１１４により処理され、荷受計量機１１５により計量され、乾燥機１１６により乾燥処理され、その後、貯蔵サイロ１１８による貯蔵され、必要時に、精選機・脱芒機１１９による処理を経た後に、原料昇降機１００の被処理物供給個所ａ５のシュータ内に供給されるのである。
【図面の簡単な説明】
【００６０】
【図１】本発明に係る仕上風選装置を具備した米麦共同乾燥調製施設（ライスセンタやカントリエレベータなど）のフローシートである。
【図２】前記米麦調製出荷設備の左前面を見た図である。
【図３】前記米麦調製出荷設備の右前面を見た図である。
【図４】前記米麦調製出荷設備の左後面を見た図である。
【図５】前記米麦調製出荷設備の右後面を見た図である。
【図６】前記米麦調製出荷設備の正面図である。
【図７】前記米麦調製出荷設備の左側面図である。
【図８】前記米麦調製出荷設備の右側面図である。
【図９】前記米麦調製出荷設備の平面図である。
【図１０】前記米麦調製出荷設備の脱ぷ揺動選別機などを斜め前方から見た図である。
【図１１】図１０に示す揺動選別装置の前面側の第１の扉体を開放した状態を示す図である。
【図１２】前記米麦調製出荷設備の脱ぷ揺動選別機の正面視断面図である。
【図１３】前記米麦調製出荷設備の揺動選別装置の正面視説明図である。
【図１４】前記揺動選別装置の側面視説明図である。
【図１５】前記米麦調製出荷設備の仕上風選装置及び石抜機の側面視断面図である。
【図１６】前記脱ぷ揺動選別機の一部を示す斜視図である。
【図１７】前記米麦調製出荷設備の出荷部を示す側面図である。
【図１８】前記米麦調製出荷設備の第１変形例を示す平面図である。
【図１９】前記麦調製出荷設備の第２変形例を示す平面図である。
【図２０】前記麦調製出荷設備のマグネット装着構造に係りＡは被処理物供給用のシュータを示す側面図、そしてＢは被処理物供給用の樋を示す側面図である。
【図２１】前記麦調製出荷設備の網体の装着構造を示す図である。
【符号の説明】
【００６１】
１０  外面ケーシング
１０ｂ  前面部
２９  選別要部
２９ａ  選別板
２９ｃ  被処理物排出樋
３０  配送シュート
３６  制御盤
３６ａ  前面部
７１  マグネット
１０１Ｂ  穀物揺動選別装置
１２９  縦支軸
Ｔ１  第１の扉体
Ｔ２  第２の扉体
ｅ１  透孔
ｅ２  蓋体
【図１】
2005118730.tif 000003
【図２】
2005118730.tif 000004
【図３】
2005118730.tif 000005
【図４】
2005118730.tif 000006
【図５】
2005118730.tif 000007
【図６】
2005118730.tif 000008
【図７】
2005118730.tif 000009
【図８】
2005118730.tif 000010
【図９】
2005118730.tif 000011
【図１０】
2005118730.tif 000012
【図１１】
2005118730.tif 000013
【図１２】
2005118730.tif 000014
【図１３】
2005118730.tif 000015
【図１４】
2005118730.tif 000016
【図１５】
2005118730.tif 000017
【図１６】
2005118730.tif 000018
【図１７】
2005118730.tif 000019
【図１８】
2005118730.tif 000020
【図１９】
2005118730.tif 000021
【図２０】
2005118730.tif 000022
【図２１】
2005118730.tif 000023